(57)【要約】【課題】  本考案は道路工事用規制車ＬＥＤ電光盤の経済的負担を軽減するとともに、騒音問題を解決する。【解決手段】  本考案は道路工事用規制車ＬＥＤ電光盤の点灯部分である透過光樹脂板１に、表現する文字等シート貼り３をおこなうとともに、その輪郭２を掘削。透過光樹脂板１の小口面より少量のＬＥＤ光源４を当該文字等部分に照射することにより、光が５・６・７−ａのように透過光樹脂板１内を屈折しながら、文字等シート貼り３およびその輪郭２の掘削部分を５・６・７−ｂのような軌道をとり文字等が視認させる。使用するＬＥＤが少なくなることにより、消費電力の低下が可能となり、駆動電源として自動車で使用されている低価な１２Ｖバッテーの使用が可能となるため、高価な発電機の使用が不要ととともに、燃料としてのガソリンも不要となり経済的負担が軽減される。さらに、バッテリー駆動は無音であるため、騒音の問題も解決することができる。【選択図】  図２
0003119653.tif 000002
【実用新案登録請求の範囲】
【請求項１】
点灯部分である透過光樹脂板に、表現する文字等シート貼りをおこなうとともに、その輪郭を掘削。透過光樹脂板の小口面よりＬＥＤ光源を当該文字等部分に照射することにより文字等を視認させ、使用するＬＥＤの数量を大幅に削減することを可能としたことを特徴とする道路工事用規制車ＬＥＤ電光盤。
【考案の詳細な説明】
【技術分野】
【０００１】  本考案は、ＬＥＤの指光性を利用し、透過光樹脂板に加工を施した、道路工事用規制車ＬＥＤ電光盤に関するものである。
【背景技術】
【０００２】  従来の道路工事用規制車ＬＥＤ電光盤は、ＬＥＤの直接照射であったため、文字等を表現するためのＬＥＤ使用数量が多量となり、消費電力が大きく発電機を電源とする必要があった。
【考案の開示】
【考案が解決しようとする課題】
【０００３】  ＬＥＤ使用数量が多いことは、製品価格も高価になり、また、電源として高価な発電機を使用する必要があるとともに、発電機駆動のための燃料としてのガソリンが必要となり経済的負担が大きい。さらに、発電機を電源するため発電機の騒音も問題である。したがって、ＬＥＤ使用数量を大幅に削減することにより、前述の欠点を解決しようとするものである。
【課題を解決するための手段】
【０００４】  道路工事用規制車ＬＥＤ電光盤の点灯部分である透過光樹脂板に、表現する文字等シート貼りをおこなうとともに、その輪郭を掘削。透過光樹脂板の小口面よりＬＥＤ光源を当該文字等部分に照射することにより文字等を視認させ、使用するＬＥＤの数量を大幅に削減することを可能とした。
【考案の効果】
【０００５】  上述のように、本考案の省エネルギー型道路工事用規制車ＬＥＤ電光盤は、従来型の道路工事用規制車ＬＥＤ電光盤と比較し、使用するＬＥＤ数量が大幅に少ないため、安価で、低消費電力のものとなる。このことにより、駆動電源として自動車で使用されている低価な１２Ｖバッテーの使用が可能となるため、高価な発電機の使用が不要ととともに、燃料としてのガソリンも不要となり経済的負担が軽減される。さらに、バッテリー駆動は無音であるため、騒音の問題も解決することができる。
なお、駆動電源である１２Ｖバッテリーについては、適時充電機による充電が必要であるが、低消費電力であるため、ソーラーパネルとの組み合わせにより自動充電も可能である。
【考案を実施するための最良の形態】
【０００６】  本考案の実施形態を図１〜図２に基づいて説明する。
【実施例】
【０００７】  本考案は、図１・図２に示すように、道路工事用規制車ＬＥＤ電光盤の点灯部分である透過光樹脂板１に、表現する文字等シート貼り３をおこなうとともに、その輪郭２を掘削。透過光樹脂板１の小口面よりＬＥＤ光源４を当該文字等部分に照射するものである。【０００８】  図１・図２のＬＥＤ光源４から発する光は、図２の５・６・７−ａのように透過光樹脂板１内を屈折しながら、文字等シート貼り３およびその輪郭２の掘削部分では図２の５・６・７−ｂのような軌道をとることにより、文字等が視認される。
【図面の簡単な説明】
【０００９】
【図１】本考案に関するが概略図である。
【図２】ＬＥＤ光源から発する光の軌道図である。
【符号の説明】
【００１０】  １  透過光樹脂板
２  文字等輪郭掘削
３  文字等のシート貼り
４  ＬＥＤ（発光ダイオード）
５．６．７  光の軌道
【図１】
0003119653.tif 000003
【図２】
0003119653.tif 000004
【手続補正書】
【提出日】平成17年11月14日(2005.11.14)
【手続補正１】
【補正対象書類名】実用新案登録請求の範囲
【補正対象項目名】全文
【補正方法】変更
【補正の内容】
【実用新案登録請求の範囲】
【請求項１】
点灯部分である透過光樹脂板に表現する文字シート貼りを行うとともに、その輪郭を掘削、透過光樹脂板の小口面よりＬＥＤ光源を当該文字等部分に照射することにより文字等を視認させ、使用するＬＥＤの数量を大幅に削減、バッテリー駆動を可能としたことを特徴とする道路工事用規制車用ＬＥＤ電光盤。
【手続補正２】
【補正対象書類名】明細書
【補正対象項目名】全文
【補正方法】変更
【補正の内容】
【考案の詳細な説明】
【技術分野】
【０００１】  本考案はＬＥＤの指光性を利用し透過光樹脂板に加工を施した、道路工事用規制車用ＬＥＤ電光盤に関するものである。
【背景技術】
【０００２】  従来の道路工事用規制車用ＬＥＤ電光盤はＬＥＤの直接照射であったため、文字等を表現するためのＬＥＤ使用数量が多量となり消費電力が大きく、発電機を電源とする必要があった。
【考案の開示】
【考案が解決しようとする課題】
【０００３】  ＬＥＤ使用数量が多いことは製品価格も高価になり又電源として発電機を使用する必要があり、その燃料としてのガソリン等が必要となり、さらに発電機による騒音も問題である。したがってＬＥＤ使用数量を大幅に削減することにより前述の欠点を解決しようとするものである。
【課題を解決するための手段】
【０００４】  道路工事用規制車用ＬＥＤ電光盤の点灯部分である透過光樹脂板に表示する文字等の部分を掘削し、加えて掘削された部分にライン加工を施しさらに塗料による色付けやカラーシート貼りを行い、透過光樹脂板の小口面よりＬＥＤ光源を当該等部分に照射することにより文字等の視認性を高めることで使用するＬＥＤの数量を大幅に削減することを可能にするものである。
【考案の効果】
【０００５】  上述のように本考案の省エネルギー型道路工事用規制車用ＬＥＤ電光盤は従来型の道路工事用規制車用ＬＥＤ電光盤と比較して使用するＬＥＤの数量が大幅に少ないために低消費電力となり、駆動電源として自動車等で使用されている１２Ｖバッテリーでの使用が可能であるため駆動電源としての発電機を必要とせず、バッテリー駆動のために無音であり騒音の問題を解決することができる。なお、駆動電源である１２Ｖバッテリーの充電については充電器での充電に加えてソーラーパネルによる充電を可能にし、一層の省エネルギーを可能にするものである。
【考案を実施するための最良の形態】
【０００６】駆動電源が１２Ｖバッテリーのため、出来るだけ負荷を少なくする必要があり、そのことが充放電の回数を減らしバッテリーの寿命を延ばすこととなる。そのためＬＥＤの数をぎりぎりの段階まで減らし視認性を高める必要がある。よって透過光樹脂板に掘り込んだ文字等にカラーシート貼り又は塗料による色付けをし、透過光樹脂板の小口面よりＬＥＤを照射することで視認性を高めることができると同時に、騒音の無いバッテリー駆動型の道路工事用規制車用ＬＥＤ電光盤が実現できる。
【実施例】
【０００７】  本考案は図１・２・３に示すように道路工事用規制車用ＬＥＤ電光盤の点灯部分である透過光樹脂板に表現する文字等部分を掘削し、その部分にシート貼り又は塗料による色付けを行い、側面よりＬＥＤ光源を照射するものである。【０００８】本考案は図２に示すようにＬＥＤ光源に輝度を増加させるために反射板を取付け且つ文字等を掘削、シート貼り又は塗料の色付けを行い、ＬＥＤの指向性と光の屈折を利用するものである。【０００９】本考案は図３に示すように道路工事用規制車用ＬＥＤ電光盤の駆動電源を１２Ｖバッテリーで行い騒音の無い省エネルギーを目指したものである。又バッテリーの充電用として充電器の他、太陽電池パネル（ソーラー）による充電を可能にしたシステムである。
【図面の簡単な説明】
【００１０】
【図１】実施例を示す正面図である。
【図２】透過光樹脂板におけるＬＥＤ光源軌道及び側面図である。
【図３】  導路工事用規制専用ＬＥＤ電光盤のシステムのフロー図である。
【符号の説明】
【００１１】  １  透過光樹脂板  ２表面表示文字等  ３ＬＥＤ光源  ４反射板  ５ＬＥＤ基板  ６ＬＥＤ光源カバー  ７ＬＥＤ光源軌道  ８文字等の彫刻部  ９シート貼り又は塗料による色付け部１０バッテリー１１太陽電池パネル（ソーラー）１２バッテリー充電器１３電光盤
【手続補正３】
【補正対象書類名】図面
【補正対象項目名】全図
【補正方法】変更
【補正の内容】
【図１】
0003119653.tif 000005
【図２】
0003119653.tif 000006
【図３】
0003119653.tif 000007